(57)【要約】【課題】径の異なるソケットを一体化した従来の多段式ソケットは、附加ソケットを変位する時間がかかること、附加ソケットの耐久性が足りないこと、インパクトドライバーなどで締め付ける時、内側ソケットが空回転する事、上記の逆機能の為、3種類以上の一体化が出来ない問題点があった。【解決手段】      本発明は、スプリングの収納部をソケットの内側と外側に半円形で形成することで１番小さいソケットを本体に、大きいソケットを順番に可動部に形成する事で、ソケットがいつも目標とするボルトの先端部に設置され、空回転の防止と伴に２〜５種類までの一体化が可能になっている。【選択図】    図１
2007307695.tif 000002
【特許請求の範囲】
【請求項１】
多種類（サイズが2種類以上）のソケットを一体化したインパクトドライバー、ラチェットハンドル、
電動インパクトのボルトソケットの場合、外側ソケット（大ソケット）を可動部に、内側ソケット（小ソケット）を本体にして、外側ソケットを本体ソケットにする事で発生する空回転を防止すると伴に2〜5種類のソケットまで一体化した事を特徴とするボルト用多段式ソケット。
【請求項２】
請求項1の実施の為小ソケットの外側に段差11を、大ソケットの内側に段差12を形成して一体化した多段式ソケットが一定間隔を維持させる事。ソケットの外側と内側にスプリングの収納部8を形成して、スプリング収納部の内側にはスプリングのストッパ10を、外側にはスプリグの離脱防止の為、阻止部9を形成してそこに収納したスプリングが一体化したソケットに弾性力を持つようにしたことを特徴とする多段式ボルト用ソケット。
【発明の詳細な説明】
【技術分野】
【０００１】
本発明は、ラチェットハンドル、インパクトドライバー、電動インパクト用の2種類以上のソケットを一体化したボルト用多段式ソケットに関する事である。
【背景技術】
【０００２】
一般的に建築現場での鉄骨組立、自動車組立ライン等の作業場では、径の異なるボルト、ナット等が使用されているのでその場合、作業人はボルト、ナット等の締結、解体作業をする為に径の異なるボルトなどの大きさに合わせてソケットの交替を行って作業を遂行するので時間がかかるなど作業能率の低下になる問題点があった  その問題点を解決する為に径の異なるソケットを一体化した従来の多段式ソケットに関して以下,大別して説明しようとする。
【０００３】
図63は本体ソケット（大ソケット）の内部にスプリングのような弾性体によって可動する強鉄線を入れてその強鉄線が附加ソケットの役割をする多段式ソケットである。しかし、附加ソケットが細かい鉄線で構成されているので、インパクトドライバー等で附加ソケットを利用した場合、すぐ破れてしまう大きな弱点と伴に、ボルトをソケットの中に入れたら鉄線が後部の壁に当たってしまい、図64のようなボルトは締め付ける事が可能だけど建築現場などで使用するクランプ、プラケットなどを締め付ける為に使う図64のようなボルトは、ボルトの前部が附加ソケットの先端部に当たってしまい（図72参照）締め付けることができない短所があった。（例えば特許文献1,2,3参照）図66のように本体ソケットを大ソケットに、附加ソケットを小ソケットにして小ソケットをスプリングのような弾性体で可動させる多段式ソケットは内側のソケットを可動させる事で、ボルトをソケットに入れてインパクトドライバーなどで締め付けるとき、角度が合わなかった場合可動する小ソケットが大ソケットの中に入ってしまい空回転をする弱点と伴にその短所があることで２種類以上のソケットを一体化する事は出来ない短所があった。（例えば、非特許文献1、特許文献４,５,６,７,８,9,10,11,12,13,14参照）図67は大韓民国特開2004公開番号10−2004−0015442に開示されているもので、大ソケットを本体に小ソケットを附加ソケットにすることは図66と同じですが附加ソケット20が前に突出しているので、空回転の弱点は補完されていますが7の弾性体（スプリング）を作動させるにはＡ部分が弾性体の収納の為スプリングと同じ長さを維持する為、空間13が短くなってしまい、ボルトの模様が図65のようなものは締め付ける事が出来ない事とその構造上の弱点によって2種類以上の一体化は不可能である。
【０００４】
図68は実開平7−20259、実公平8−136に開示されているもので、小ソケットを本体に大ソケットを可動部にする事は本発明と同じですが、第1、スプリングの収納部が形成されていない事と（附加ソケットを可動させる為に弾性体を利用した場合、その弾性体を作動させる為の収納部の形成は必至の問題なので、収納部の形成によって発生する問題の解決技術が多段式ソケットの開発に重要な手掛かりになるのである）。例えば、図67の多段式ソケットもその問題が解決されないので図65のようなボルトは締め付ける事が出来ないのである  第2は附加ソケットの変位装置である21がソケットの中にあるなどの構造上の弱点がある為2種類以上の一体化は不可能である。図60は実
開昭63−44775に開示されているので、小ソケットを本体にして３種類のソケットの一体化を図った物でソケット変位装置であるリング21によって、附加ソケットを変位させるので変位操作に時間がかかると伴に、弾性を持つゴムなどによって変位させたソケットを一時固定するので、変位する度にリングを両手で着脱しなければならない大きな問題点を抱えているのである。二の多段式ソケット以外両手を使って附加ソケットを変位させるものが実開平7-3014065号に公報に開示されている。
【０００５】
図70は、特開2003−245863号公報に開示されているので、附加ソケットをスプリングによって可動させる物で、附加ソケットである20が６個のソケットピンで構成されているので、抵抗力が大きくなってしまい摩耗しやすい弱点と伴にスプリングを収納する為本体ソケットに曲面を形成するなど複雑な構造になっているので２種類以上の一体化は出来ないのである。また、特開平8-257927号公報にも類似物が開示されている。
図71は平3-87571号公報に開示されているので、小ソケットを本体ソケットに附加ソケットを大ソケットに形成したものでスプリング収納部8に余分の空間が形成してスプリングの収納部の役割が出来ない短点と附加ソケットを変位する為に両手を使用する弱点も持っているのである。
上記以外の参考文献
特開2004-14199
実開平5-72374
実開平6-71063
【特許文献１】特開平11-179671
【特許文献２】特表2000-503599
【特許文献３】特開平09-515587
【非特許文献１】（製造会社名；SANGAKO、品番BS-1721、商品コ−ド01392001003
【特許文献４】実開昭50-5297号
【特許文献５】実開昭55-60966号
【特許文献６】実開昭56-42870号
【特許文献７】実開昭61-195971号
【特許文献８】特開平6-198571号
【特許文献９】特開平8-257927号
【特許文献１０】特開平11-207644号
【特許文献１１】特開平2000-52263号
【特許文献１２】特開平2000-84862号
【特許文献１３】特開平2001-105333号
【特許文献１４】大韓民国特公開10-2004-001676号
【発明の開示】
【発明が解決しようとする課題】
【０００６】
以上に述べた従来の多段式ソケットは、両手を使用して附加ソケットを変位することで時間がかかる事、細い鉄線などで附加ソケットが形成されているので耐久性が足りないこと、主に内側ソケットを可動させる為にインパクトドライバー等を使う時空回転をする事など構造上の逆機能の為3種類以上の一体化は実際、実用化されなかったのである。
【０００７】
本発明は、このような従来のソケットが有していた問題点を解決しようとする物であり、内側（小ソケット）のソケットを本体に外側（大ソケット）ソケットを可動部に設計することで空回転の防止、3種類以上の耐久性を持つソケットの一体化、附加ソケットの変位が瞬間的に自由自在に出来るようにすることを目的とする物である。
【課題を解決するための手段】
【０００８】
本発明は、上記目的を実現する為に径の異なるソケットの中で一番小さいソケットを本体にして、大きいソケットの中に順番に入れて図19のように一体化したソケットがスプリングの弾性力によって一定間隔を維持すると共に昇降可能にすることで本体と附加ソケットが一体回転する構造になっているので多種類のソケットの瞬間変化の実現が出来るのである。具体的には小ソケットの外側に段差11を大ソｋｗットの内側に段差12を形成して大ソケットの中に後尾から入れた小ソケットが順番に一定間隔を維持出来るようにすること、ソケットの外側と内側にスプリングの収納部を形成して、収納部の内側にはスプリング外されないようにスプリングのストッパ10を、収納部の外側には収納部にスプリングを阻止部9を、溶接など固定する事で一体化した多段ソケットが図19のように常時スプリングの弾性力によって維持され一番大きいボルトを締結時はソケットをそのまま利用する事ですがそれより小さいボルトを締結する時はスプリングの弾性力によって前に出ている大ソケットが中に入ってしまい目標とするボルトに合うソケットに案内されるのである。以后ボルトの締結終了後はボルトから離れたソケットは圧縮された上記スプリングによって元位置に復帰されるのである。
【発明の効果】
【０００９】
上述したように本発明は、頻繁に使用する2種類以上のソケットを一体化する事で作業の能率を効果的に増大する事が出来るのである。
【発明を実施するための最良の形態】
【００１０】
以下、本発明の実施の形態を図1-図72に其づいて説明する。
【００１１】
まず、本体ソケット（図17,18,19,20参照）の外側には、次の中間ソケットの中に本体ソケットを入れた時、中間ソケットの内側に形成した段差12に引っかかって、本体ソケットと中間ソケットが一定間隔を維持させる為の段差11と、スプリングの収納部8を、中間ソケット（図21,22,23,24,25参照）には小ソケットと大ソケットの間に一定間隔を維持させる為の段差11を外側に、その収納部の反対側の外側には次のソケットを可動する為のスプリングの収納部8を形成、またスプリングのストッバ10を収納部の内側に形成することである。
一体化したソケットの中で、一番大きいソケット（図26,27,28,29参照）には図26に示したように内側に一体化したソケットが一定間隔を維持する為の段差12を、ソケット収納部８とスプリングのストッバ10を形成して、本体ソケットを２番目のソケットの中に入れる順で組立するので、以下詳述しようとする。
【００１２】
図32から図35までは径の異なる5種類の六角ソケットを一体化した場合その結合することを示す分解斜視図、図58,59は径の異なる3種類の十二角ソケットを一体化場合、その結合することを示す断面図である、その中で、5種類の六角ソケットを結合した分解斜視図に関して詳述しようとする（２,３,４種類のソケットは５種類のソケットを一体化する過程の中で中間過程を省略する事で、実行が出来るのである）。
【００１３】
まず、図32に示したように２番ソケットに本体ソケットを入れて、（入れる時、２番ソケットに形成したスプリングのストッバ10は本体ソケットの収納部の通路を通じるので、入れることが可能である）スプリングの収納部にスプリングを入れ、入口には図30に示した阻止部9を溶接などで固定するのである。
中間ソケットは図33,図34に示したように順番に入れることで実行するのですが、中間ソケットにはスプリングの阻止部が、図31のような物で収納部の入口に阻止部図31の模様と同じ凹を形成してそこに入れることにする  最後のソケットには内側の段差12、スプリングの収納部8、スプリングのストッバ10だけを形成して（図35）に示したように番号の順に入れて最後に図31の阻止部を固定して完成するのである。トルクレンチに装着する１２角ソケットの組立順は上記と同じですが（図57、58参照）トルクレンチのハンドルがあるため本体ソケットと中間ソケットを使用する時、ソケットの後部がハンドルに当たってしまうのでそれを避けるためにその間を長く形成しなければならない構造になってしまいその問題を解決するため、本体ソケットと中間ソケットの間を長く形成するので（図39−A部分参照）図46のように阻止部９を形成するのが必要である。
【図面の簡単な説明】
【００１４】
【図１】５種類のソケットを一体化した本発明の実施例。
【図２】本発明の正面図
【図３】５種類のソケットを一体化した図２の左側表図。
【図４】４種類のソケットを一体化した図２の左側表図。
【図５】３種類のソケットを一体化した図２の左側表図
【図６】２種類のソケットを一体化した図２の左側表図
【図７】５種類のソケットを一体化した図２のＡ−Ｂの断面図
【図８】４種類のソケットを一体化した図２のＡ−Ｂの断面図
【図９】３種類のソケットを一体化した図２のＡ−Ｂの断面図
【図１０】２種類のソケットを一体化した図２のＡ−Ｂの断面図
【図１１】図3のＣ−Ｄの断面図
【図１２】図３のＡ−Ｂの断面図
【図１３】図11の場合、本体ソケット（最小）を使用する時の実施例
【図１４】図６のＡ−Ｂの断面図
【図１５】図14の実施例
【図１６】図15の場合、本体ソケット（最小）を使用する時の実施例
【図１７】本体ソケットの正面図
【図１８】図17の左側面図
【図１９】図17の右側面図
【図２０】図17のＡ−Ｂの断面図
【図２１】中間可動部ソケットの正面図
【図２２】図21の左側面図
【図２３】図21の右側面図
【図２４】図23のＡ−Ｂの断面図
【図２５】図23のＣ−Ｄの断面図
【図２６】最後の可動部ソケットの正面図
【図２７】図26のＡ−Ｂの断面図
【図２８】図26の右側面図
【図２９】図26の左側面図
【図３０】本体ソケットのスプリング阻止部
【図３１】可動部ソケットのスプリング阻止部
【図３２】本体ソケットに２番ソケットを結合することを示す分解斜視図
【図３３】図32に３番ソケットを結合することを示す分解斜視図
【図３４】図33に４番ソケットを結合することを示す分解斜視図
【図３５】図34に最後の５番ソケットを結合することを示す分解斜視図
【図３６】ラチェットハンドルの為のソケットを、３種類を一体化した時の正面図
【図３７】図36の左側面図
【図３８】図36の右側面図
【図３９】図38のＣ−Ｄの断面図
【図４０】図38のＡ−Ｂの断面図
【図４１】本体ソケットの正面図
【図４２】図41の左側面図
【図４３】図41の右側面図
【図４４】図41のＡ−Ｂの断面図
【図４５】図41のＣ−Ｄの断面図
【図４６】スプリング阻止部の正面図
【図４７】図46の左側面図と右側面図
【図４８】第２ソケットの正面図
【図４９】図48の左側面図
【図５０】図48の右側面図
【図５１】図48,図50のＡ−Ｂの断面図
【図５２】図50のＣ−Ｄの断面図
【図５３】第3ソケットの正面図
【図５４】図53の左側面図
【図５５】図53の右側面図
【図５６】図53のＡ−Ｂの断面図
【図５７】本体に２番ソケットを結合することを示す分解図
【図５８】図57に3番ソケットを結合することを示す分解図
【図５９】図56のＡ−Ｂの断面図
【図６０】図51,52のＡ−Ｂの断面図
【図６１】実施例
【図６２】実施例
【図６３】従来のソケットの斜視図(1)
【図６４】ボルトＡ
【図６５】ボルトＢ
【図６６】従来のソケット(2)
【図６７】従来のソケット(3)
【図６８】従来のソケット(4)
【図６９】従来のソケット(5)
【図７０】従来のソケット(6)
【図７１】従来のソケット(7)
【図７２】従来のソケット(1)に、ボルトＢを入れたときの断面図
【符号の説明】
【００１５】
1.本体のソケット。
2.第2のソケット。
3.第3のソケット。
4.第4のソケット。
5.第5のソケット。
6.装着部。
7.スプリング。
8.スプリングの収納部。
9.スプリングの離脱防止の為の阻止部。
10スプリングのストッパ
11一体化したソケットの一定間隔維持の為の外側段差。
12一体化したソケットの一定間隔維持の為の内側段差。
13空間。
14角穴。
15ソケット。
16ドルクンチ。
17インパクトドライバ-。
18ボルト。
19穴。
20附加ソケット。
21ソケットの変位装置。
【図１】
2007307695.tif 000003
【図２】
2007307695.tif 000004
【図３】
2007307695.tif 000005
【図４】
2007307695.tif 000006
【図５】
2007307695.tif 000007
【図６】
2007307695.tif 000008
【図７】
2007307695.tif 000009
【図８】
2007307695.tif 000010
【図９】
2007307695.tif 000011
【図１０】
2007307695.tif 000012
【図１１】
2007307695.tif 000013
【図１２】
2007307695.tif 000014
【図１３】
2007307695.tif 000015
【図１４】
2007307695.tif 000016
【図１５】
2007307695.tif 000017
【図１６】
2007307695.tif 000018
【図１７】
2007307695.tif 000019
【図１８】
2007307695.tif 000020
【図１９】
2007307695.tif 000021
【図２０】
2007307695.tif 000022
【図２１】
2007307695.tif 000023
【図２２】
2007307695.tif 000024
【図２３】
2007307695.tif 000025
【図２４】
2007307695.tif 000026
【図２５】
2007307695.tif 000027
【図２６】
2007307695.tif 000028
【図２７】
2007307695.tif 000029
【図２８】
2007307695.tif 000030
【図２９】
2007307695.tif 000031
【図３０】
2007307695.tif 000032
【図３１】
2007307695.tif 000033
【図３２】
2007307695.tif 000034
【図３３】
2007307695.tif 000035
【図３４】
2007307695.tif 000036
【図３５】
2007307695.tif 000037
【図３６】
2007307695.tif 000038
【図３７】
2007307695.tif 000039
【図３８】
2007307695.tif 000040
【図３９】
2007307695.tif 000041
【図４０】
2007307695.tif 000042
【図４１】
2007307695.tif 000043
【図４２】
2007307695.tif 000044
【図４３】
2007307695.tif 000045
【図４４】
2007307695.tif 000046
【図４５】
2007307695.tif 000047
【図４６】
2007307695.tif 000048
【図４７】
2007307695.tif 000049
【図４８】
2007307695.tif 000050
【図４９】
2007307695.tif 000051
【図５０】
2007307695.tif 000052
【図５１】
2007307695.tif 000053
【図５２】
2007307695.tif 000054
【図５３】
2007307695.tif 000055
【図５４】
2007307695.tif 000056
【図５５】
2007307695.tif 000057
【図５６】
2007307695.tif 000058
【図５７】
2007307695.tif 000059
【図５８】
2007307695.tif 000060
【図５９】
2007307695.tif 000061
【図６０】
2007307695.tif 000062
【図６１】
2007307695.tif 000063
【図６２】
2007307695.tif 000064
【図６３】
2007307695.tif 000065
【図６４】
2007307695.tif 000066
【図６５】
2007307695.tif 000067
【図６６】
2007307695.tif 000068
【図６７】
2007307695.tif 000069
【図６８】
2007307695.tif 000070
【図６９】
2007307695.tif 000071
【図７０】
2007307695.tif 000072
【図７１】
2007307695.tif 000073
【図７２】
2007307695.tif 000074
【手続補正書】
【提出日】平成19年3月5日(2007.3.5)
【手続補正１】
【補正対象書類名】特許請求の範囲
【補正対象項目名】全文
【補正方法】変更
【補正の内容】
【特許請求の範囲】
【請求項１】
インパクトドライバー、ラチェットハンドル又は電動インパクト用のボルト用多段式ソケットにおいて、直径が一番小さいソケットを本体ソケットとし、隣り合うソケットの間で小さい方のソケットの外側と、大きい方のソケットの内側に軸方向の切欠きからなる収納部を設けこの収納部にスプリングを収納して、径の異なるソケットの瞬間変位を実現したことを特徴とするボルト用多段式ソケット。
【請求項２】
スプリングの離脱を防止する為に、スプリングのストッパ10,スプリングの阻止部9を形成したことを特徴とする請求項1に記載の多段式ボルト用ソケット。
【手続補正２】
【補正対象書類名】明細書
【補正対象項目名】０００３
【補正方法】変更
【補正の内容】
【０００３】
図63は本体ソケット（大ソケット）の内部にスプリングのような弾性体によって可動する強鉄線を入れてその強鉄線が附加ソケットの役割をする多段式ソケットである。しかし、附加ソケットが細かい鉄線で構成されているので、インパクトドライバー等で附加ソケットを利用した場合、すぐ破れてしまう大きな弱点と伴に、ボルトをソケットの中に入れたら鉄線が後部の壁に当たってしまい、図64のようなボルトは締め付ける事が可能だけど建築現場などで使用するクランプ、プラケットなどを締め付ける為に使う図65のようなボルトは、ボルトの前部が附加ソケットの先端部に当たってしまい（図72参照）締め付けることが出来ない短所があった。（例えば特許文献1，2，3参照）図66のように本体ソケットを大ソケットに、附加ソケットを小ソケットにして小ソケットをスプリングのような弾性体で可動させる多段式ソケットは内側のソケットを可動させることで、ボルトをソケットに入れてインパクトドライバーなどで締め付けとき、角度が合わなかった場合可動する小ソケットが大ソケットの中に入ってしまい空回転をする弱点と伴にその短所があることで3種類以上のソケットを一体化することは出来ない短所があった。（例えば、非特許文献1，特許文献4,5,6,7,8,9,10,11,12,13,14参照）図67は大韓民国特開2004公開番号10-2004-0015442に開示されているもので、大ソケットを本体に小ソケットを附加ソケットにすることは図66と同じですが、附加ソケット20が前に突出しているので、空回転の弱点は補完されていますが、7の弾性体（スプリング）を作動させるには、Ａ部分が弾性体の収納の為スプリングと同じ長さを維持する為、空間13が短くなってしまい、ボルトの模様が図65のようなものは締め付けることが出来ない事とその構造上の弱点によって3種類以上の一体化は不可能である。
【手続補正３】
【補正対象書類名】明細書
【補正対象項目名】０００４
【補正方法】変更
【補正の内容】
【０００４】
図68は実開平7-20259、実公平8-136に開示されているもので、小ソケットを本体に大ソケットを可動部にする事は本発明と同じですが、第1、スプリングの収納部が形成されていない事と（附加ソケットを可動させる為に弾性体を利用した場合、その弾性体を作動させるための収納部の形成は必至の問題なので、収納部の形成によって発生する問題の解決技術が多段式ソケットの開発に重要な手掛かりになるのである）。例えば、図67の多段式ソケットもその問題が解決されないので、図65のようなボルトは締め付ける事が出来ないのである。第2は附加ソケットの変位装置である21がソケットの中にあるなどの構造上の弱点がある為、３種類以上の一体化は不可能である。図69は実開昭63-44775に開示されているので、小ソケットを本体にして3種類のソケットの一体化を図ったものでソケット変位装置であるリング21によって、附加ソケットを変位させるので変位操作に時間がかかると伴に、弾性を持つゴムなどによって変位させたソケットを一時固定するので、変位する度にリングを両手で着脱しなければならない大きな問題点を抱えているのである。この多段式ソケット以外、両手を使って附加ソケットを変位させるものが実開平7-3014065号公報に開示されている。
【手続補正４】
【補正対象書類名】明細書
【補正対象項目名】０００５
【補正方法】変更
【補正の内容】
【０００５】
図70は、特開2003-245863号公報に開示されているので、附加ソケットをスプリングによって可動させるもので、附加ソケットである20が６個のソケットピンで構成されているので、抵抗力が大きくなってしまい摩耗しやすい弱点と伴にスプリングを収納する為、本体ソケットに曲面を形成するなど複雑な構造になっているので3種類以上の一体化は出来ないのである。また、特開平8-257927号公報にも類似物が開示されている。図71は特開平3-87571号公報に開示されているので、小ソケットを本体ソケットに附加ソケットを大ソケットに形成したもので、スプリング収納部8に余分の空間が形成してスプリングの収納部の役割が出来ない短点と附加ソケットを変位する為に、両手を使用する弱点も持っているのである。
上記以外の参考文献
特開2004-141992
実開平5-72374
実開平6-71063
【特許文献１】特開平11−179671
【特許文献２】特表2000-503599
【特許文献３】特開平09−515587
【非特許文献１】（製造会社名；SANGAKO,品番BS-1721、商品コード01392001003
【特許文献４】実開昭50-5297号
【特許文献５】実開昭55-60966号
【特許文献６】実開昭56-42870号
【特許文献７】実開昭61-195971号
【特許文献８】特開平6-198571号
【特許文献９】特開平8-257927号
【特許文献１０】特開平11-207644号
【特許文献１１】特開平2000-52263号
【特許文献１２】特開平2000-84862号
【特許文献１３】特開平2001-105333号
【特許文献１４】大韓民国特公開10-2004-001676号
【手続補正５】
【補正対象書類名】明細書
【補正対象項目名】０００８
【補正方法】変更
【補正の内容】
【０００８】
本発明は、上記目的を実現する為に径の異なるソケットの中で一番小さいソケットを本体にして、大きいソケットの中に順番に入れて図1のように一体化した 
ソケットがスプリングの弾性力によって一定間隔を維持すると共に昇降可能にすることで本体と附加ソケットが一体回転する構造になっているので、多種類のソケットの瞬間変位の実現が出来るのである。具体的には小ソケットの外側に段差11を、大ソケットの内側に段差12を形成して大ソケットの中に後尾から入れた小ソケットが順番に一定間隔を維持出来るようにすること、ソケットの外側と内側にスプリングの収納部を形成して、収納部の内側にはスプリングが外されないようにスプリングのストッパ10を、収納部の外側には収納部にスプリングの阻止部9を、溶接などで固定することで一体化した多段ソケットが図1のように常時スプリングの弾性力によって維持され一番大きいボルトを締結時はソケットをそのまま利用することですが、それより小さいボルトを締結する時は、スプリングの弾性力によって前に出ている大ソケットが中に入ってしまい、目標とするボルトに合うソケットに案内されるのである。以後ボルトの締結終了後はボルトから離れたソケットは圧縮された上記スプリングによって元位置に復帰されるのである。